(57)【要約】  空気清浄機（２００）と、現在位置を取得可能なユーザ端末（３００）と、ユーザ端末からのデータに基づいてユーザが空気清浄機の配置エリアから離れたことを検知すると、空気清浄機の出力を上げるためのサーバ（１００）と、を備えるネットワークシステム（１）が提供される。
2020071184.tif 000002
【特許請求の範囲】
【請求項１】
所定エリア内の通信端末との通信するための通信インターフェイスと、
前記通信インターフェイスを介して、事前登録された複数のユーザの通信端末のすべてが前記所定エリアから離れたことを認識した場合に運転出力を上げる、空気清浄機。
【請求項２】
１つ以上のユーザ端末が前記所定エリア内に戻った場合に、前記所定エリアから離れる直前の出力に戻す、請求項１に記載の空気清浄機。
【請求項３】
空気清浄機と、
現在位置を取得可能なユーザ端末と、
前記ユーザ端末からのデータに基づいてユーザが前記空気清浄機の配置エリアから離れたことを検知すると、前記空気清浄機の出力を上げるためのサーバと、を備えるネットワークシステム。
【請求項４】
前記サーバは、前記ユーザが外出したことを検知すると、前記ユーザ端末を介して前記空気清浄機の出力を上げてもよいか確認する、請求項３に記載のネットワークシステム。
【請求項５】
空気清浄機と、
現在位置を取得可能な複数のユーザ端末と、
前記複数のユーザ端末のいずれかからのデータに基づいていずれかのユーザが前記空気清浄機の配置エリアから離れたことを検知すると、前記複数のユーザ端末を介して前記空気清浄機の出力を上げてもよいか確認してから前記空気清浄機の出力を上げるためのサーバと、を備えるネットワークシステム。
【請求項６】
空気清浄機と、
現在位置を取得可能な複数のユーザ端末と、
前記複数のユーザ端末からのデータに基づいてグループに属する全てのユーザが前記空気清浄機の配置エリアから離れたことを検知すると、前記空気清浄機の出力を上げるためのサーバと、を備えるネットワークシステム。
【請求項７】
前記サーバは、前記空気清浄機の出力を上げてから所定の時間が経過すると、前記空気清浄機の出力をユーザが前記空気清浄機の配置エリアから離れる直前に戻す、請求項３から６のいずれか１項に記載のネットワークシステム。
【請求項８】
前記サーバは、前記ユーザが前記空気清浄機から所定の距離内に戻ると、前記空気清浄機の出力を上げる、請求項７に記載のネットワークシステム。
【請求項９】
前記サーバは、前記ユーザが前記空気清浄機の配置エリア内に戻ると、前記空気清浄機の出力をユーザが前記空気清浄機の配置エリアから離れる直前に戻す、請求項８に記載のネットワークシステム。
【発明の詳細な説明】
【技術分野】
【０００１】
本発明は、空気清浄機能を有する装置を効率的に利用するための技術に関する。
【背景技術】
【０００２】
従来から、空気清浄機などの空気調和機に関する様々な技術が提案されている。たとえば、特開平６−７１１２５号公報（特許文献１）には、空気清浄器が開示されている。特許文献１によると、室内空気の汚染度を検出してその出力で空気清浄運転を開始させる汚染度センサーを備えている空気清浄器において、人体検知用の人感センサーと、この人感センサーによる人体検知出力で汚染度センサーに空気流を流す検出運転を行わせる制御回路とを備えたものとし、室内空気が汚染される可能性が高い時である人体が室内にいる時にのみ、検出運転が行われるものとする。
【先行技術文献】
【特許文献】
【０００３】
【特許文献１】特開平６−７１１２５号公報
【発明の概要】
【発明が解決しようとする課題】
【０００４】
本発明の目的は、空気清浄機能を有する装置を効率的に利用するための技術を提供することにある。
【課題を解決するための手段】
【０００５】
本発明のある態様に従うと、空気清浄機と、現在位置を取得可能なユーザ端末と、ユーザ端末からのデータに基づいてユーザが空気清浄機の配置エリアから離れたことを検知すると、空気清浄機の出力を上げるためのサーバと、を備えるネットワークシステムが提供される。
【発明の効果】
【０００６】
以上のように、本発明によれば、空気清浄機能を有する装置を効率的に利用するための技術を提供することができる。
【図面の簡単な説明】
【０００７】
【図１】第１の実施の形態にかかるネットワークシステム１の全体構成と動作概要を示すイメージ図である。
【図２】第１の実施の形態にかかるサーバ１００の構成の一態様について説明する。
【図３】第１の実施の形態にかかるユーザ情報データ１２１を示すイメージ図である。
【図４】第１の実施の形態にかかる機器情報データ１２２を示すイメージ図である。
【図５】第１の実施の形態にかかる端末情報データ１２３を示すイメージ図である。
【図６】第１の実施の形態にかかるサーバ１００における情報処理を示すフローチャートである。
【図７】第１の実施の形態にかかる空気清浄機２００の構成の一態様について説明する。
【図８】第１の実施の形態にかかるユーザ端末３００の構成の一態様について説明する。
【図９】第２の実施の形態にかかるサーバ１００における情報処理を示すフローチャートである。
【図１０】第４の実施の形態にかかるネットワークシステム１の全体構成と動作概要を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成と動作概要＞
【０００９】
まず、図１（Ａ）を参照して、本実施の形態にかかるネットワークシステム１の全体構成について説明する。本実施の形態にかかるネットワークシステム１は、主に、サーバ１００と、インターネットやルータなどを介してサーバ１００に接続可能な空気清浄機２００と、インターネットやルータなどを介してサーバ１００に接続可能なユーザ端末３００とを含む。
【００１０】
なお、空気清浄機２００は、空気を清浄するための機能を有すればよく、床に置く空気清浄専用の装置に限らず、加湿機能を有する空気清浄機や、空気清浄機能を有するエアコンなどであってもよい。また、ユーザ端末３００も、スマートフォンに限らず、ユーザが持ち運び可能であって、通信機能を有すればよく、タブレット端末やウェアラブル端末やゲーム機やパーソナルコンピュータやスピーカなどであってもよい。
【００１１】
次に、図１（Ａ）〜（Ｃ）を参照して、本実施の形態にかかるネットワークシステム１の動作概要について説明する。図１（Ａ）に示すように、ユーザが空気清浄機２００の置かれている住居やオフィスなどに在宅中は、空気清浄機２００はユーザからの操作命令に基づいて通常運転を実行する。図１（Ｂ）に示すように、ユーザが外出すると、サーバ１００は、ユーザ端末３００を介してユーザが外出したことを検知して、空気清浄機２００の運転強度を強くする。図１（Ｃ）に示すように、ユーザが帰宅すると、サーバ１００は、空気清浄機２００を通常運転に戻す。以下、このような機能を実現するためのネットワークシステム１の具体的な構成について詳述する。
＜サーバ１００のハードウェア構成＞
【００１２】
図２を参照して、本実施の形態にかかるネットワークシステム１を構成するサーバ１００のハードウェア構成の一態様について説明する。サーバ１００は、主たる構成要素として、ＣＰＵ（Central Processing Unit）１１０と、メモリ１２０と、操作部１４０と、通信インターフェイス１６０とを含む。
【００１３】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１４】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、ユーザ情報データ１２１、機器情報データ１２２、端末情報データ１２３、その他の本実施の形態にかかる遠隔制御サービスに利用されるデータベースなどを記憶する。
【００１５】
図３を参照して、本実施の形態にかかるユーザ情報データ１２１は、本サービスに登録されているユーザ毎に、ユーザの識別情報と、ユーザ名と、ユーザが属するグループの識別情報と、ユーザの住所と、ユーザの有するユーザ端末３００の識別情報と、ユーザが現在外出中であるか否かを示す情報と、ユーザが外出した時刻などの対応関係を含む。なお、ユーザが属するグループとは、ユーザの家族や、ユーザのルームメイトや、ユーザが属する部署などが上げられる。
【００１６】
図４を参照して、本実施の形態にかかる機器情報データ１２２は、本サービスに登録されている空気清浄機２００毎に、空気清浄機２００の識別情報と、空気清浄機２００のユーザの識別情報と、空気清浄機２００の機種名や型番などの対応関係を含む。
【００１７】
図５を参照して、本実施の形態にかかる端末情報データ１２３は、本サービスに登録されているユーザ端末３００毎に、ユーザ端末３００の識別情報と、ユーザ端末３００のユーザの識別情報と、ユーザ端末３００の現在位置情報などの対応関係を含む。
【００１８】
図２に戻って、操作部１４０は、サービスの管理者などの命令を受け付けて、当該命令をＣＰＵ１１０に入力する。
【００１９】
通信インターフェイス１６０は、ＣＰＵ１１０からのデータを、インターネット、キャリア網、ルータなどを介して、空気清浄機２００やユーザ端末３００などの他の装置に送信する。逆に、通信インターフェイス１６０は、インターネット、キャリア網、ルータなどを介して空気清浄機２００やユーザ端末３００などの他の装置からのデータを受信して、ＣＰＵ１１０に受け渡す。
＜サーバ１００における情報処理＞
【００２０】
次に、図６を参照しながら、本実施の形態にかかるサーバ１００における情報処理について説明する。サーバ１００のＣＰＵ１１０は、通信インターフェイス１６０を介して、ユーザ端末３００からデータを受信すると以下の処理を実行する。
【００２１】
ＣＰＵ１１０は、受信したデータからユーザ端末３００の識別情報と現在位置情報とを取得する（ステップＳ１０２）。なお、現在位置情報は、ユーザ端末３００自身が、ＧＰＳ（Global Positioning System）機能や、基地局ＷｉＦｉ（登録商標）アクセスポイント等を利用して取得可能である。その他、端末の位置情報を推定できる手段であれば、他の機能を利用してもよい。ＣＰＵ１１０は、ユーザ情報データ１２１を参照してユーザの住所すなわちユーザに対応する空気清浄機２００が置かれている場所を読み出す。ＣＰＵ１１０は、ユーザの住所と現在位置情報とから、ユーザすなわちユーザ端末３００が外出しているか否か、すなわち自宅から離れているか否かを判断する（ステップＳ１０４）。
【００２２】
ユーザが外出中である場合（ステップＳ１０４にてＹＥＳである場合）、ＣＰＵ１１０は、ユーザ情報データ１２１においてユーザが外出している旨のフラグをＯＮして外出時刻を記憶するとともに、機器情報データ１２２を参照してユーザに対応する空気清浄機２００を特定し、通信インターフェイス１６０を介して当該空気清浄機２００に空気清浄運転の強度を上げるように指示するためのデータを送信する（ステップＳ１０６）。ＣＰＵ１１０は、通信インターフェイス１６０を介して、次のユーザ端末３００からのデータを待ち受ける。
【００２３】
ユーザが在宅中である場合（ステップＳ１０４にてＮＯである場合）、ＣＰＵ１１０は、ユーザ情報データ１２１においてユーザが外出している旨のフラグをＯＦＦするとともに、機器情報データ１２２を参照してユーザに対応する空気清浄機２００を特定し、通信インターフェイス１６０を介して当該空気清浄機２００に通常の空気清浄運転に戻るように指示するためのデータを送信する（ステップＳ１０８）。ＣＰＵ１１０は、通信インターフェイス１６０を介して、次のユーザ端末３００からのデータを待ち受ける。
＜空気清浄機２００のハードウェア構成＞
【００２４】
図７を参照して、ネットワークシステム１を構成する空気清浄機２００のハードウェア構成の一態様について説明する。本実施の形態にかかる空気清浄機２００は、主たる構成要素として、ＣＰＵ２１０と、メモリ２２０と、ディスプレイ２３０と、操作部２４０と、通信インターフェイス２６０と、スピーカ２７０と、マイク２８０と、機器駆動部２９０とを含む。
【００２５】
ＣＰＵ２１０は、メモリ２２０あるいは外部の記憶媒体に記憶されているプログラムを実行することによって、空気清浄機２００の各部を制御する。
【００２６】
メモリ２２０は、各種のＲＡＭや、各種のＲＯＭなどによって実現される。メモリ２２０は、ＣＰＵ２１０によって実行される調理プログラムまたは他のプログラムや、ＣＰＵ２１０によるプログラムの実行により生成されたデータ、サーバ１００やサーバ１００から受信したデータ、操作部２４０を介して入力されたデータなどを記憶する。
【００２７】
ディスプレイ２３０は、ＣＰＵ１１０からの信号に基づいて、文字や画像などを出力する。操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネル２５０を構成してもよい。
【００２８】
通信インターフェイス２６０は、アンテナやコネクタなどの通信モジュールによって実現される。通信インターフェイス２６０は、ルータなどを介して有線通信あるいは無線通信によって他の装置との間でデータをやり取りする。本実施の形態においては、ＣＰＵ２１０は、通信インターフェイス２６０を介して、サーバ１００やユーザ端末３００などの他の装置から各種の制御命令を受信したり、サーバ１００やユーザ端末３００などの他の装置に各種の情報を送信したりする。
【００２９】
スピーカ２７０は、ＣＰＵ２１０からの信号に基づいて、音声を出力する。マイク２８０は、外部からの音声に基づいて音声信号を作成し、ＣＰＵ２１０に入力する。
【００３０】
機器駆動部２９０は、ＣＰＵ２１０からの信号に基づいて、電気機器の各部（モータやアクチュエータやヒータやリモコン用赤外線発信装置など）を制御することによって、空気を吸い込んだり吐き出したり、空気中のホコリや虫などをフィルタによって取り除いたり、イオンを放出したりするものである。
【００３１】
本実施の形態においては、ＣＰＵ２１０は、操作部２４０を介して通常の空気清浄運転を開始する命令や終了する命令や運転モードの設定命令や運転強度の設定命令を受け付けて、当該命令に基づいて機器駆動部２９０を制御する。あるいは、ＣＰＵ２１０は、通信インターフェイス２６０を介してサーバ１００から、通常の空気清浄運転を開始する命令や終了する命令や運転モードの設定命令や運転強度の設定命令を受け付けて、当該命令に基づいて機器駆動部２９０を制御する。
＜ユーザ端末３００の構成＞
【００３２】
次に、図８を参照して、ネットワークシステム１を構成するユーザ端末３００の構成の一態様について説明する。本実施の形態にかかるユーザ端末３００は、主たる構成要素として、ＣＰＵ３１０と、メモリ３２０と、ディスプレイ３３０と、操作部３４０と、通信インターフェイス３６０と、スピーカ３７０と、マイク３８０と、ＧＮＳＳ（Global Navigation Satellite System）アンテナ３９０などを含む。
【００３３】
ＣＰＵ３１０は、メモリ３２０に記憶されているプログラムを実行することによって、ユーザ端末３００の各部を制御する。
【００３４】
メモリ３２０は、各種のＲＡＭや、各種のＲＯＭなどによって実現される。メモリ３２０は、各種のアプリケーションプログラムなどのＣＰＵ３１０によって実行されるプログラムや、ＣＰＵ３１０によるプログラムの実行により生成されたデータ、サーバ１００や空気清浄機２００から受信したデータ、操作部３４０を介して入力されたデータ、ユーザ端末３００のユーザを特定するための情報などを記憶する。
【００３５】
ディスプレイ３３０は、ＣＰＵ３１０からのデータに基づいて、画像やテキストを表示する。たとえば、ＣＰＵ３１０は、通信インターフェイス３６０を介してサーバ１００からのテキストデータに基づいてディスプレイ３３０にメッセージを表示させる。操作部３４０は、ポインティングデバイスやスイッチなどから構成され、ユーザからの各種の命令をＣＰＵ３１０に入力する。なお、ユーザ端末３００は、ディスプレイ３３０と操作部３４０とを含むタッチパネル３５０を有してもよい。
【００３６】
通信インターフェイス３６０は、インターネットやキャリア網やルータなどを介して、サーバ１００や空気清浄機２００などの他の装置との間でデータを送受信する。たとえば、ＣＰＵ３１０は、メモリ３２０のアプリケーションプログラムに従って、通信インターフェイス３６０を介して、サーバ１００から各種のデータを受信したり、タッチパネル３５０を介してユーザから受け付けた各種命令をサーバ１００や空気清浄機２００などの他の装置に送信したりする。
【００３７】
スピーカ３７０は、ＣＰＵ３１０からのデータに基づいて音声を出力する。たとえば、ＣＰＵ３１０は、通信インターフェイス３６０を介してサーバ１００からの音声データをスピーカ３７０に出力させる。マイク３８０は、取得した音声信号をＣＰＵ３１０に入力する。たとえば、ＣＰＵ３１０は、マイク３８０から取得した音声データは通信インターフェイス３６０を介してサーバ１００に送信する。
【００３８】
ＧＮＳＳアンテナ３９０は、複数の衛星からの信号を受信して、ＣＰＵ３１０に受け渡す。本実施の形態においては、ＣＰＵ３１０は、定期的に、ＧＮＳＳアンテナ３９０によって受信した複数の衛星からの信号に基づいて、ユーザ端末３００の現在位置を計算して、通信インターフェイス３６０を介して現在位置情報をサーバ１００に送信する。
【００３９】
なお、ＧＮＳＳアンテナ３９０に限らず、ＣＰＵ３１０は、近距離通信やＩＣタグなどを利用して、ユーザ端末３００が空気清浄機２００の近傍にいるか否かや、ユーザ端末３００がユーザの自宅にいるか否かを判断してもよい。つまり、サーバ１００は、ユーザ端末３００に関するＧＮＳＳデータ以外の情報に基づいて、ユーザの外出や在宅を判断してもよい。
＜第２の実施の形態＞
【００４０】
上記の実施の形態においては、ユーザが現在外出中であるか否かに基づいて空気清浄機２００を制御するものであった。本実施の形態においては、図９に示すように、空気清浄機２００の運転強度を自動的に上げる場合にユーザに確認を得たり、ユーザが外出して所定時間が経過すると元の通常の空気清浄運転に戻したりするものである。より詳細には、サーバ１００のＣＰＵ１１０は、通信インターフェイス１６０を介して、ユーザ端末３００からデータを受信すると以下の処理を実行する。
【００４１】
図９を参照して、ＣＰＵ１１０は、受信したデータからユーザ端末３００の識別情報と現在位置情報とを取得する（ステップＳ１０２）。ＣＰＵ１１０は、ユーザ情報データ１２１を参照してユーザの住所すなわちユーザに対応する空気清浄機２００が置かれている場所を読み出す。ＣＰＵ１１０は、ユーザすなわちユーザ端末３００が外出しているか否かを判断する（ステップＳ１０４）。
【００４２】
ユーザが外出中である場合（ステップＳ１０４にてＹＥＳである場合）、ＣＰＵ１１０は、ユーザ情報データ１２１においてユーザが外出している旨のフラグをＯＮして外出時刻を記憶するとともに、外出フラグが今回ＯＦＦからＯＮに切り替わったか否かを判断する（ステップＳ２１２）。外出フラグが今回ＯＦＦからＯＮに切り替わった場合（ステップＳ２１２にてＹＥＳである場合）、ＣＰＵ１１０は、通信インターフェイス１６０を介してユーザ端末３００に空気清浄機２００の運転強度を上げてもよいか否かを問い合わせる（ステップＳ２１４）。これによって、ユーザ端末３００のＣＰＵ３１０は、サーバ１００からの問い合わせをディスプレイ３３０またはスピーカ３７０から出力して、操作部２４０を介してユーザの回答を受け付ける。
【００４３】
ＣＰＵ１１０は、ユーザの許可が得られると（ステップＳ２１６にてＹＥＳである場合）、機器情報データ１２２を参照してユーザに対応する空気清浄機２００を特定し、通信インターフェイス１６０を介して当該空気清浄機２００に空気清浄運転の強度を上げるように指示するためのデータを送信する（ステップＳ２１８）。ＣＰＵ１１０は、通信インターフェイス１６０を介して、次のユーザ端末３００からのデータを待ち受ける。
【００４４】
ＣＰＵ１１０は、ユーザの許可が得られなかった場合（ステップＳ２１６にてＮＯである場合）、機器情報データ１２２を参照してユーザに対応する空気清浄機２００を特定し、通信インターフェイス１６０を介して当該空気清浄機２００に通常の空気清浄運転に戻るように指示するためのデータを送信する（ステップＳ２２８）。ＣＰＵ１１０は、通信インターフェイス１６０を介して、次のユーザ端末３００からのデータを待ち受ける。
【００４５】
外出フラグが今回ＯＦＦからＯＮに切り替わらなかった場合（ステップＳ２１２にてＮＯである場合）、ＣＰＵ１１０は、外出時刻から所定の時間、たとえば２時間など、が経過したか否かを判断する（ステップＳ２２２）。外出時刻から所定の時間が経過した場合（ステップＳ２２２にてＹＥＳである場合）、ＣＰＵ１１０は、機器情報データ１２２を参照してユーザに対応する空気清浄機２００を特定し、通信インターフェイス１６０を介して当該空気清浄機２００に通常の空気清浄運転に戻るように指示するためのデータを送信する（ステップＳ２２８）。ＣＰＵ１１０は、通信インターフェイス１６０を介して、次のユーザ端末３００からのデータを待ち受ける。
【００４６】
外出時刻から所定の時間が経過していない場合（ステップＳ２２２にてＮＯである場合）、ＣＰＵ１１０は、通信インターフェイス１６０を介して、次のユーザ端末３００からのデータを待ち受ける。
【００４７】
ユーザが在宅中である場合（ステップＳ１０４にてＮＯである場合）、ＣＰＵ１１０は、ユーザ情報データ１２１においてユーザが外出している旨のフラグをＯＦＦするとともに、外出フラグが今回ＯＮからＯＦＦに切り替わったか否かを判断する（ステップＳ２３２）。外出フラグが今回ＯＮからＯＦＦに切り替わった場合（ステップＳ２３２にてＹＥＳである場合）、ＣＰＵ１１０は、機器情報データ１２２を参照してユーザに対応する空気清浄機２００を特定し、通信インターフェイス１６０を介して当該空気清浄機２００に通常の空気清浄運転に戻るように指示するためのデータを送信する（ステップＳ２３４）。ＣＰＵ１１０は、通信インターフェイス１６０を介して、次のユーザ端末３００からのデータを待ち受ける。
【００４８】
外出フラグが今回ＯＮからＯＦＦに切り替わらなかった場合（ステップＳ２３２にてＮＯである場合）、ＣＰＵ１１０は、通信インターフェイス１６０を介して、次のユーザ端末３００からのデータを待ち受ける。
＜第３の実施の形態＞
【００４９】
サーバ１００は、ユーザが外出したか帰宅したかの判断だけではなく、自宅やオフィスからの距離に応じて外出時の処理や帰宅時の処理を実行してもよい。
【００５０】
たとえば、サーバ１００は、ユーザが自宅やオフィスなどから第１の所定の距離、たとえば５００ｍなど、以上離れた場合に、図９におけるステップＳ１０４のＹＥＳの場合の処理すなわちステップＳ２１２以降の外出時の処理を実行してもよい。
【００５１】
そして、サーバ１００は、ユーザが第２の所定距離、たとえば１０ｋｍなど、以上離れた場合には、ユーザが自宅やオフィスなどから第３の所定の距離、たとえば２ｋｍなど、以内まで帰ってきた場合に、図９におけるステップＳ１０４のＮＯの場合の処理すなわちステップＳ２３２以降の帰宅時の処理を実行してもよい。なお、ユーザが第２の所定距離、たとえば１０ｋｍなど、以上離れることなく帰宅した場合は、サーバ１００は、ユーザが自宅やオフィスなどから第１の所定の距離、たとえば５００ｍなど、以内まで帰ってきた場合に、図９におけるステップＳ１０４のＮＯの場合の処理すなわちステップＳ２３２以降の帰宅時の処理を実行してもよい。
【００５２】
なお、自宅やオフィスからの距離に限らず、自宅やオフィスからの移動時間を利用してもよい。たとえば、第１の所定距離の代わりに第１の所定時間、たとえば５分など、を利用したり、第２の所定距離の代わりに第２の所定時間、たとえば１時間など、を利用したり、第３の所定距離の代わりに第３の所定時間、たとえば２０分など、を利用したりしてもよい。
＜第４の実施の形態＞
【００５３】
さらには、空気清浄機２００を利用する複数のユーザ、たとえば家族など、の現在位置に基づいて空気清浄機２００を制御してもよい。本実施の形態にかかるネットワークシステム１は、たとえば図１０に示すように、一人は外出したが、もう一人が在宅している場合などに対応できる。
【００５４】
本実施の形態においては、ユーザ毎に生活サイクルや移動手段や移動速度などが異なるため、第１の所定距離、第２の所定距離、第３の所定距離などは、ユーザ毎に異なる値が設定されることが好ましい。同様に、第１の所定時間、第２の所定時間、第３の所定距離なども、ユーザ毎に異なる値が設定されることが好ましい。
【００５５】
この場合は、ユーザが一人でも外出フラグがＯＦＦからＯＮに切り替わった場合（図９におけるステップＳ２１２にてＹＥＳである場合）、ＣＰＵ１１０は、ユーザ情報データ１２１を参照して当該ユーザと同じ家族の全てのユーザを特定し、通信インターフェイス１６０を介して家族の全てのユーザのユーザ端末３００に空気清浄機２００の運転強度を上げてもよいか否かを問い合わせる（ステップＳ２１４）。そして、ＣＰＵ１１０は、いずれかのユーザの許可が得られると（ステップＳ２１６にてＹＥＳである場合）、機器情報データ１２２を参照してユーザに対応する空気清浄機２００を特定し、通信インターフェイス１６０を介して当該空気清浄機２００に空気清浄運転の強度を上げるように指示するためのデータを送信する（ステップＳ２１８）。なお、ＣＰＵ１１０は、全てのユーザの許可が得られた場合だけ（ステップＳ２１６にてＹＥＳである場合）、機器情報データ１２２を参照してユーザに対応する空気清浄機２００を特定し、通信インターフェイス１６０を介して当該空気清浄機２００に空気清浄運転の強度を上げるように指示するためのデータを送信してもよい（ステップＳ２１８）。
【００５６】
そして、ユーザが一人でも外出フラグがＯＦＦからＯＮに切り替わった場合（ステップＳ２３２にてＹＥＳである場合）、ＣＰＵ１１０は、機器情報データ１２２を参照してユーザに対応する空気清浄機２００を特定し、通信インターフェイス１６０を介して当該空気清浄機２００に通常の空気清浄運転に戻るように指示するためのデータを送信する（ステップＳ２３４）。
【００５７】
なお、ステップＳ２１２に関しては、ＣＰＵ１１０は、ユーザ情報データ１２１を参照して当該ユーザと同じ家族の全てのユーザの外出フラグがＯＮになった場合に、ステップＳ２１４からの処理を実行してもよい。より詳細には、この実施の形態だけに限られないが、ユーザへの確認処理（ステップＳ２１４やステップＳ２１６）が行われない構成であってもよい。
＜第５の実施の形態＞
【００５８】
第１〜第４の実施の形態のネットワークシステム１の各装置の役割の一部または全部を他の装置が実行してもよい。たとえば、サーバ１００や空気清浄機２００やユーザ端末３００の各々の役割の一部または全部を別の装置が担ったり、サーバ１００や空気清浄機２００やユーザ端末３００の各々の役割の一部または全部を複数の装置で担ったり、サーバ１００や空気清浄機２００やユーザ端末３００のいずれかがサーバ１００や空気清浄機２００やユーザ端末３００のいずれかの役割の一部または全部を担ったりしてもよい。
【００５９】
たとえば、サーバ１００の代わりに、空気清浄機２００が、ユーザが外出したか否かを判断してもよい。具体的には、空気清浄機２００のＣＰＵ２１０が、通信インターフェイス２６０を介してｂｌｕｅｔｏｏｔｈ（登録商標）やＷｉＦｉ（登録商標）通信によって直接、あるいは、通信インターフェイス２６０を介してルータ経由でＷｉＦｉ（登録商標）通信によって判断してもよい。ＣＰＵ２１０は、ユーザ端末３００と通信可能である場合に所定エリア内にユーザがいる、すなわち在宅中と判断し、通信が途絶するとユーザが所定エリア内にいない、すなわち外出中と判断してもよい。
＜まとめ＞
【００６０】
上記の実施の形態においては、所定エリア内の通信端末との通信するための通信インターフェイスと、通信インターフェイスを介して、事前登録された複数のユーザの通信端末のすべてが所定エリアから離れたことを認識した場合に運転出力を上げる、空気清浄機が提供される。
【００６１】
好ましくは、空気清浄機は、１つ以上のユーザ端末が所定エリア内に戻った場合に、所定エリアから離れる直前の出力に戻す。なお、１つ以上のユーザ端末が所定エリア内に戻った場合には、（１）事前登録された複数のユーザの通信端末の１つ（最初に所定エリア内に戻った通信端末）が所定エリアに戻った場合や、（２）事前登録された複数のユーザの通信端末のすべてが所定エリアに戻った場合や、（３）事前登録された複数のユーザの通信端末のうち、別途事前に設定しておいた１またはすべての通信端末が所定エリアに戻った場合、などが含まれる。
【００６２】
上記の実施の形態においては、空気清浄機と、現在位置を取得可能なユーザ端末と、ユーザ端末からのデータに基づいてユーザが空気清浄機の配置エリアから離れたことを検知すると、空気清浄機の出力を上げるためのサーバと、を備えるネットワークシステムが提供される。
【００６３】
好ましくは、サーバは、ユーザが外出したことを検知すると、ユーザ端末を介して空気清浄機の出力を上げてもよいか確認する。
【００６４】
上記の実施の形態においては、空気清浄機と、現在位置を取得可能な複数のユーザ端末と、複数のユーザ端末のいずれかからのデータに基づいていずれかのユーザが空気清浄機の配置エリアから離れたことを検知すると、複数のユーザ端末を介して空気清浄機の出力を上げてもよいか確認してから空気清浄機の出力を上げるためのサーバと、を備えるネットワークシステムが提供される。
【００６５】
上記の実施の形態においては、空気清浄機と、現在位置を取得可能な複数のユーザ端末と、複数のユーザ端末からのデータに基づいてグループに属する全てのユーザが空気清浄機の配置エリアから離れたことを検知すると、空気清浄機の出力を上げるためのサーバと、を備えるネットワークシステムが提供される。
【００６６】
好ましくは、サーバは、空気清浄機の出力を上げてから所定の時間が経過すると、空気清浄機の出力をユーザが空気清浄機の配置エリアから離れる直前に戻す。
【００６７】
好ましくは、サーバは、ユーザが空気清浄機から所定の距離内に戻ると、空気清浄機の出力を上げる。
【００６８】
好ましくは、サーバは、ユーザが空気清浄機の配置エリア内に戻ると、空気清浄機の出力をユーザが空気清浄機の配置エリアから離れる直前に戻す。
【００６９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７０】
１        ：ネットワークシステム
１００    ：サーバ
１１０    ：ＣＰＵ
１２０    ：メモリ
１２１    ：ユーザ情報データ
１２２    ：機器情報データ
１２３    ：端末情報データ
１４０    ：操作部
１６０    ：通信インターフェイス
２００    ：空気清浄機
２１０    ：ＣＰＵ
２２０    ：メモリ
２３０    ：ディスプレイ
２４０    ：操作部
２５０    ：タッチパネル
２６０    ：通信インターフェイス
２７０    ：スピーカ
２８０    ：マイク
２９０    ：機器駆動部
３００    ：ユーザ端末
３１０    ：ＣＰＵ
３２０    ：メモリ
３３０    ：ディスプレイ
３４０    ：操作部
３５０    ：タッチパネル
３６０    ：通信インターフェイス
３７０    ：スピーカ
３８０    ：マイク
３９０    ：ＧＮＳＳアンテナ
【図１】
2020071184.tif 000003
【図２】
2020071184.tif 000004
【図３】
2020071184.tif 000005
【図４】
2020071184.tif 000006
【図５】
2020071184.tif 000007
【図６】
2020071184.tif 000008
【図７】
2020071184.tif 000009
【図８】
2020071184.tif 000010
【図９】
2020071184.tif 000011
【図１０】
2020071184.tif 000012
【国際調査報告】
2020071184.tif 000013
2020071184.tif 000014
2020071184.tif 000015
2020071184.tif 000016